(57)【要約】【課題】設置面積を必要以上に大きくすることなく、印刷面の全面や、印刷面に全周に亙る印刷を行なうことができるプリンタを提供する。【解決手段】電子情報を記録する記録ディスクＤの印刷面への印刷が可能なプリンタ１であって、記録ディスクＤをチャックするチャック装置１５と、チャック装置１５にチャックされた記録ディスクＤを、印刷の各ステップ毎に所定角度回転させることが可能なモータと、記録ディスクＤの中心を通る線に沿って印刷面上を移動し、各ステップ毎に印刷面に所定幅の印刷を行なう印刷ヘッド２１とを備えている。各ステップ毎の記録ディスクＤの回転角は、回転によって移動する印刷済み領域と次のステップで印刷される領域との間に隙間が生じないような角度としている。【選択図】図２
2007290282.tif 000002
【特許請求の範囲】
【請求項１】
電子情報を記録する記録ディスクの印刷面への印刷が可能なプリンタであって、
記録ディスクをチャックするチャック装置と、
前記チャック装置にチャックされた前記記録ディスクを、印刷の各ステップ毎に所定角度回転させることが可能なモータと、
前記記録ディスクの中心を通る線に沿って前記印刷面上を移動し、前記各ステップ毎に前記印刷面の所定幅の帯状の領域に印刷を行なう印刷ヘッドとを備え、
前記各ステップ毎の前記記録ディスクの回転角は、回転によって移動した印刷済み領域と、次のステップで印刷される領域とがその最外周側でも一部重複するような角度であり、
前記印刷ヘッドは、前記記録ディスクの印刷面に形成された印刷可能な領域の直径に亙るように移動可能に構成されている、プリンタ。
【請求項２】
電子情報を記録する記録ディスクの印刷面への印刷が可能なプリンタであって、
記録ディスクをチャックするチャック装置と、
前記チャック装置にチャックされた前記記録ディスクを、印刷の各ステップ毎に所定角度回転させることが可能なモータと、
前記記録ディスクの中心を通る線に沿って前記印刷面上を移動し、前記各ステップ毎に前記印刷面の所定幅の領域に印刷を行なう印刷ヘッドとを備え、
前記各ステップ毎の前記記録ディスクの回転角は、回転によって移動する印刷済み領域と次のステップで印刷される領域との間に隙間が生じないような角度である、プリンタ。
【請求項３】
前記各ステップ毎の前記記録ディスクの回転角は、回転によって移動した印刷済み領域と、次のステップで印刷される領域とがその最外周側でも一部重複するような角度である、請求項２に記載のプリンタ。
【請求項４】
前記各ステップ毎に印刷される印刷領域は帯状である、請求項２または３に記載のプリンタ。
【発明の詳細な説明】
【技術分野】
【０００１】
この発明は、プリンタに関し、より特定的には、電子情報を記録する記録ディスクの印刷面への印刷が可能なプリンタに関する。
【背景技術】
【０００２】
従来から、ＣＤ（Compact Disk）やＤＶＤ（Digital Versatile Disk）などの電子情報を記録する記録ディスクに印刷可能なプリンタが提案されている。印刷の方式としては、インクジェットにより印刷する方式や熱転写により印刷する方式などがある。
【０００３】
インクジェットにより印刷する場合には、インクジェットのインクを吸収することが可能な印刷面を有する記録ディスクが用いられる。
【０００４】
熱転写方式により、記録ディスクのレーベル面に印刷を行なうプリンタとして、特許文献１（特開２００５−１８６３５８号公報）に開示されたものがある。このプリンタにおいては、まず、印刷ヘッドが往復移動可能な範囲で記録ディスクのレーベル面のある領域に印刷を行なう。続いて、記録ディスクを１８０°回転させた後、同様に印刷を行なうことで、印刷済みの領域と記録ディスクの中心を挟んで対称の位置の領域にも印刷を行なうことができる。
【０００５】
このプリンタによると、記録ディスクを１８０°回転させることで、レーベル面の二つの領域に印刷を行なうことができる。
【０００６】
一方、記録ディスクを直径方向に送り、その送りと直交方向に印刷ヘッドを移動させながら、記録ディスクの前端から順に印刷し、記録ディスクの全面に印刷を行なうプリンタが存在する。
【特許文献１】特開２００５−１８６３５８号公報
【発明の開示】
【発明が解決しようとする課題】
【０００７】
しかし、上記のプリンタでは、レーベル面の特定の二箇所にしか印刷することができず、レーベル面の全面に印刷したい場合や、レーベル面に全周に亙る印刷を行ないたい場合には対応することができない。
【０００８】
また、記録ディスクを直径方向に送るプリンタにおいては、記録ディスクを送るためのスペースが必要となり、プリンタの設置面積が大きいものとなってしまうという問題がある。
【０００９】
この発明は、上記課題を解決するためになされたものであり、設置面積を必要以上に大きくすることなく、記録ディスクの印刷面の全面や、印刷面に全周に亙る印刷を行なうことができるプリンタを提供することを目的とする。
【課題を解決するための手段】
【００１０】
本発明に基づいたプリンタに従えば、電子情報を記録する記録ディスクの印刷面への印刷が可能なプリンタであって、記録ディスクをチャックするチャック装置と、上記チャック装置にチャックされた上記記録ディスクを、印刷の各ステップ毎に所定角度回転させることが可能なモータと、上記記録ディスクの中心を通る線に沿って上記印刷面上を移動し、上記各ステップ毎に上記印刷面の所定幅の領域に印刷を行なう印刷ヘッドとを備えている。上記各ステップ毎の上記記録ディスクの回転角は、回転によって移動する印刷済み領域と次のステップで印刷される領域との間に隙間が生じないような角度である。
【００１１】
上記プリンタにおいて、上記各ステップ毎の上記記録ディスクの回転角は、回転によって移動した印刷済み領域と、次のステップで印刷される領域とがその最外周側でも一部重複するような角度としてもよい。
【００１２】
上記プリンタにおいて、上記各ステップ毎に印刷される印刷領域は帯状としてもよい。
上記プリンタにおいて、上記印刷ヘッドは、上記記録ディスクの印刷面に形成された印刷可能な領域の直径に亙るように移動可能に構成されていてもよい。
【発明の効果】
【００１３】
この発明に基づいたプリンタに従えば、レーベル面の全面や、レーベル面に全周に亙る印刷を行なうことが可能な小型のプリンタを提供することができる。
【発明を実施するための最良の形態】
【００１４】
以下、本発明に係る実施の形態について、図１から図５を参照して説明する。なお、図１は、本実施の形態におけるプリンタの構造を示す斜視図であり、図２は、同水平断面図であり、図３から図５は、印刷中の記録ディスクを示す図である。
【００１５】
本実施の形態のプリンタは、電子情報を記録する記録ディスクＤの印刷面への印刷が可能なプリンタ１であって、記録ディスクＤをチャックするチャック装置１５と、チャック装置１５にチャックされた記録ディスクＤを、印刷の各ステップ毎に所定角度回転させることが可能なモータ１３と、記録ディスクＤの中心を通る線に沿って印刷面上を移動し、各ステップ毎に印刷面に所定幅の印刷を行なう印刷ヘッド２１とを備えている。各ステップ毎の記録ディスクＤの回転角は、回転によって移動する印刷済み領域と次のステップで印刷される領域との間に隙間が生じないような角度である。このプリンタ１について、以下に詳細に説明する。
【００１６】
図１に示すように、本実施の形態のプリンタ１は、略箱型の筐体２を有している。筐体２の前面にはディスクトレイ１１が突出する開口部が設けられている。ディスクトレイ１１は、図示しないモータに駆動されてスライドし、突出および後退可能とされており、その上面に記録ディスクＤを保持することができる。
【００１７】
ディスクトレイ１１の上面には、記録ディスクＤを保持する、記録ディスクＤの直径よりも僅かに大径で、その他の部分よりも窪んだディスク収容部１２が設けられている。ディスク収容部１２の中心部には、チャック装置１５が設けられている。
【００１８】
チャック装置１５は、バネまたは弾性樹脂部材などの弾性力により外向きに付勢された出没可能な突起１５ａを有している。記録ディスクＤをチャック装置１５に固定するときには、記録ディスクＤの中心に設けられた貫通穴に、チャック装置１５を挿入する。これにより、突起１５ａが貫通孔の内周面を押圧し、記録ディスクＤはチャック装置１５に固定される。
【００１９】
チャック装置の構造は、この形態のものに限定されない。たとえば、記録ディスクＤをディスクトレイ１１に載置し、ディスクトレイ１１が筐体２の内部に引き込まれた後に、記録ディスクＤの中心部を上下方向から挟むような構造のものを採用してものよい。
【００２０】
チャック装置１５には、モータ１３が連結されており、このモータ１３によって記録ディスクＤと共に回転駆動される。後述するように、本実施の形態のプリンタ１においては、所定角度の回転を各ステップ毎に繰り返しながら、記録ディスクＤを半回転または１回転させる必要がある。モータ１３としては、このような回転駆動が可能なステッピングモータを用いることが好ましい。
【００２１】
本実施の形態では、モータ１３はディスクトレイ１１の厚み内に収まるような薄型のステッピングモータを用いている。ただし、モータ１３は、ステッピングモータに限定されず、所定角度の回転駆動を繰り返し行なうことができるモータであればよい。
【００２２】
ディスクトレイ１１は、筐体２の前面に設けられた操作ボタン５を押下する度に、突出および後退（格納）を繰り返すように構成されている。
【００２３】
筐体２の前面から上面に亙る、屈曲形状の開閉蓋３が設けられている。本実施の形態では、開閉蓋３の後端部を中心軸にして、前端部が回動するように開閉する。開閉蓋３により、プリンタ１のインクカートリッジの交換などの、プリンタ１のメンテナンスを行なうことができる。
【００２４】
図２に示すように、筐体２の内部には、記録ディスクＤの印刷面に印刷を行なう印刷ヘッド２１が設けられている。印刷ヘッド２１としては、インクカートリッジにインクを貯蔵し、下面に設けられたインクジェットノズルから適宜インクを吐出することが可能な周知のインクジェットヘッドを用いることができる。
【００２５】
印刷ヘッド２１は、記録ディスクＤの印刷面上を、その直径に亙ってスライド可能に構成されている。具体的には、印刷ヘッド２１は、一対のガイドシャフト２２ａ，２２ｂに支持されており、記録ディスクＤの直径を通る線に沿って正確にスライド移動される。
【００２６】
ガイドシャフト２２ａ，２２ｂは、一対のベース２３を介して筐体２に固定されている。印刷ヘッド２１には、ベルト３２が連結されており、ベルト３２により水平方向に駆動される。
【００２７】
ベルト３２は、モータ３１により駆動される。モータ３１により駆動されるベルト３２は、第１のプーリー３３、第２のプーリー３４、第３のプーリー３５間に架け渡されており、これらを介して駆動される。
【００２８】
印刷ヘッド２１には、フラットケーブル２５を介して、制御器２６が接続されており、制御器２６によりインクの吐出が制御される。制御器２６は、モータ１３およびモータ３１にも接続されており、これらの回転も制御する。なお、印刷データは、ＵＳＢ（Universal Serial Bus）などのインターフェイスを介して制御器２６に接続されたパーソナルコンピュータなどから供給される。
【００２９】
次に、本実施の形態のプリンタ１を用いた印刷工程について説明する。第１のステップにおいては、図３（ａ）に示すように、印刷ヘッド２１を、記録ディスクＤの中心を通る線上を駆動し、記録ディスクＤの印刷面の帯状の領域Ａ１に印刷を行なう。帯状の領域Ａ１は、記録ディスクＤの印刷面の直径に亙る。
【００３０】
次に、第２のステップにおいて、図３（ｂ）に示すように、記録ディスクＤを所定角度回転させる。続いて、第１のステップと同様に、帯状の領域Ａ２に印刷を行なう。このとき、領域Ａ１と領域Ａ２とは領域Ａ１２において重なる。
【００３１】
さらに、第３のステップにおいて、図３（ｃ）に示すように、記録ディスクＤを第２のステップと同じ所定角度回転させる。そして、第１および第２のステップと同様に、帯状の領域Ａ３に印刷を行なう。このとき領域Ａ１と領域Ａ２と領域Ａ３とは領域Ａ１２３において重なり、領域Ａ２と領域Ａ３とは領域Ａ２３において重なる。
【００３２】
このようなステップを繰り返し、記録ディスクＤを合計１８０°回転させることで、記録ディスクＤの全面に印刷を行なうことができる。
【００３３】
各ステップにおける印刷においては、一つの印刷の領域Ａｎ内に、複数回重ねて印刷される領域と、一回のみ印刷される領域とがあるため、これらを考慮して、印刷ヘッド２１から吐出されるインクの量を調節する。
【００３４】
すなわち、２回以上のステップで重ねて印刷される領域においては、一回のステップで印刷されるインクの量を少なくして薄く印刷し、重ねて印刷されたときに所定の濃さとなるように印刷する。
【００３５】
図４を用いて、各ステップにおける回転角について説明する。本実施の形態では、各ステップで印刷される領域Ａ１，Ａ２は帯状である。各ステップにおける回転角は、前のステップで印刷した領域Ａ１と、次のステップで印刷する領域Ａ２との間に隙間が生じないように設定されている。
【００３６】
さらには、領域Ａ１とＡ２とがその最外周側においても一部重なるように構成されている。これにより、多少の回転誤差があった場合でも二つの領域Ａ１，Ａ２の間に隙間が生じない。
【００３７】
具体的には、図４に示すように、帯状の印刷領域Ａ２の幅Ｗが、前のステップで印刷した領域Ａ１の最外周側の後端部の移動距離Ｌ１よりも大きくなるように構成されている。その結果、二つの領域Ａ１，Ａ２の間には、長さＬ２に亙って両者が重なる。これにより、回転誤差がＬ２以上にならない限り、二つの領域Ａ１，Ａ２の間に隙間が生じることはない。
【００３８】
本実施の形態のプリンタ１においては、記録ディスクＤを回転させて印刷するので、記録ディスクＤを直径方向に送りながら印刷する従来のプリンタに比べて、その筐体および設置面積を小さくすることができる。
【００３９】
上記の説明においては、印刷ヘッド２１が記録ディスクＤの直径に亙るように移動する場合について説明したが、印刷ヘッド２１は、図５に示すように、半径に亙るように移動してもよい。この場合には、各ステップにおいては、半径に亙るように印刷し、図５（ｃ）に示すように、記録ディスクＤを合計３６０°回転させることで、記録ディスクＤの全面に印刷することができる。
【００４０】
本実施の形態では、各ステップの印刷領域Ａｎを帯状とし、さらに、その外周側でも一部重なるようにしたので、隙間が生じず高品位な印刷を行なうことができる。また、重なる部分をさらに増加させることで、さらに高品位な印刷を行なうことができる。
【００４１】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００４２】
【図１】この発明に基づいた実施の形態におけるプリンタの構造を示す斜視図である。
【図２】この発明に基づいた実施の形態におけるプリンタの構造を示す水平断面図である。
【図３】この発明に基づいた実施の形態における印刷中の記録ディスクの状態を示す平面図である。
【図４】この発明に基づいた実施の形態における印刷中の記録ディスクの状態を示す平面図である。
【図５】この発明に基づいた実施の形態における印刷中の記録ディスクの状態を示す平面図である。
【符号の説明】
【００４３】
１  プリンタ、２  筐体、３  開閉蓋、５  操作ボタン、１１  ディスクトレイ、１２  ディスク収容部、１３  モータ、１５  チャック装置、１５ａ  突起、２１  印刷ヘッド、２２ａ，２２ｂ  ガイドシャフト、２３  ベース、２５  フラットケーブル、２６  制御器、３１  モータ、３２  ベルト、３３，３４，３５  プーリー、Ｄ  記録ディスク。
【図１】
2007290282.tif 000003
【図２】
2007290282.tif 000004
【図３】
2007290282.tif 000005
【図４】
2007290282.tif 000006
【図５】
2007290282.tif 000007